(57)【要約】【課題】二方向からそれぞれ明るく鮮明に視認される二つの画像表示が可能な構成であって、製造歩留まりを向上させることが容易な構成を有する液晶表示装置及びその製造方法を提供する。【解決手段】本発明の一態様に係る液晶表示装置は、第一の透明基板と、第一の透明基板上に配設され、第一の画像を表示する第一の画素グループに属する第一の画素の画素電極と、第一の透明基板上に配設され、第二の画像を表示する第二の画素グループに属する第二の画素の画素電極と、第一の透明基板と対向する第二の透明基板と、第二の透明基板上に各画素電極と対向して形成されたコモン電極と、コモン電極の一部の領域であって、第一の画素の各画素電極と対向する各領域にそれぞれ形成された第一の突起部材又は開口部と、コモン電極の一部の領域であって、第二の画素の各画素電極と対向する各領域に上下又は左右に非対称にそれぞれ形成された第二の突起部材又は開口部と、を備えているものである。【選択図】図１
2010085427.tif 000002
【特許請求の範囲】
【請求項１】
第一の透明基板と、
前記第一の透明基板上に配設され、第一の画像を表示する第一の画素グループに属する第一の画素の画素電極と、
前記第一の透明基板上に配設され、第二の画像を表示する第二の画素グループに属する第二の画素の画素電極と、
前記第一の透明基板と対向する第二の透明基板と、
前記第二の透明基板上に前記各画素電極と対向して形成されたコモン電極と、
前記コモン電極の一部の領域であって、前記第一の画素の前記各画素電極と対向する各領域にそれぞれ形成された第一の突起部材又は開口部と、
前記コモン電極の一部の領域であって、前記第二の画素の前記各画素電極と対向する各領域に上下又は左右に非対称にそれぞれ形成された第二の突起部材又は開口部と、
を備えていることを特徴とする液晶表示装置。
【請求項２】
前記第二の突起部材又は開口部は、前記第二の画素の前記画素電極と対向する前記コモン電極の前記領域の画素の中心と右辺との間の縦方向中央近傍部に若しくは画素の右辺中央近傍部に沿って又は画素の中心と左辺との間の縦方向中央近傍部に若しくは画素の左辺中央近傍部に沿って形成された、又は、前記第二の画素の前記画素電極と対向する前記コモン電極の前記領域の画素の中心と下辺との間の横方向中央近傍部に若しくは画素の下辺中央近傍部に沿って又は画素の中心と上辺との間の横方向中央近傍部に若しくは画素の上辺中央近傍部に沿って形成された基本部分を含むことを特徴とする請求項１に記載の液晶表示装置。
【請求項３】
前記第二の突起部材又は開口部は、前記基本部分の両端に鈍角を形成する方向に向かって形成された二つの付加部分をさらに含むことを特徴とする請求項４に記載の液晶表示装置。
【請求項４】
前記第一の突起部材又は開口部は、前記第二の突起部材又は開口部とは異なる形態で上下又は左右に非対称にそれぞれ形成されたものであることを特徴とする請求項１乃至３のいずれか一項に記載の液晶表示装置。
【請求項５】
前記第一の突起部材又は開口部は、前記第一の画素の前記画素電極と対向する前記コモン電極の前記領域の画素の中心と右辺との間の縦方向中央近傍部に若しくは画素の右辺中央近傍部に沿って又は画素の中心と左辺との間の縦方向中央近傍部に若しくは画素の左辺中央近傍部に沿って形成された、又は、前記第一の画素の前記画素電極と対向する前記コモン電極の前記領域の画素の中心と下辺との間の横方向中央近傍部に若しくは画素の下辺中央近傍部に沿って又は画素の中心と上辺との間の横方向中央近傍部に若しくは画素の上辺中央近傍部に沿って形成された基本部分を含むことを特徴とする請求項４に記載の液晶表示装置。
【請求項６】
前記第一の突起部材又は開口部は、前記基本部分の両端に鈍角を形成する方向に向かって形成された二つの付加部分をさらに含むことを特徴とする請求項５に記載の液晶表示装置。
【請求項７】
前記第一の突起部材又は開口部は、上下及び左右に対称にそれぞれ形成されたものであることを特徴とする請求項１乃至３のいずれか一項に記載の液晶表示装置。
【請求項８】
前記第一の画素と前記第二の画素とが、上下左右に交互に配置されていることを特徴とする請求項１乃至７のいずれか一項に記載の液晶表示装置。
【請求項９】
前記第一の画素と前記第二の画素とが、それぞれ横列に配置され、かつ、前記第一の画素の横列と前記第二の画素の横列とが上下に交互に配置されていることを特徴とする請求項１乃至７のいずれか一項に記載の液晶表示装置。
【請求項１０】
前記第一の画素と前記第二の画素とが、それぞれ縦列に配置され、かつ、前記第一の画素の縦列と前記第二の画素の縦列とが左右に交互に配置されていることを特徴とする請求項１乃至７のいずれか一項に記載の液晶表示装置。
【請求項１１】
前記突起部材又は開口部が突起部材である場合、当該突起部材は、絶縁材料により形成されていることを特徴とする請求項１乃至１０のいずれか一項に記載の液晶表示装置。
【請求項１２】
請求項１乃至１１のいずれかに記載の液晶表示装置を備えている電子装置であって、車載ディスプレイ装置、携帯型電話装置、ディジタルカメラ、個人用情報端末装置（ＰＤＡ）、ノート型コンピュータ、デスクトップコンピュータ、テレビジョン受像器、ポータブルＤＶＤプレーヤ、ポータブル・ブルーレイディスク・プレーヤのいずれかであることを特徴とする電子装置。
【請求項１３】
第一の画像を表示する第一の画素グループに属する第一の画素の画素電極、及び、第二の画像を表示する第二の画素グループに属する第二の画素の画素電極を、第一の透明基板上に形成する工程と、
前記第一の透明基板と対向する第二の透明基板上に、前記各画素電極と対向するコモン電極を形成する工程と、
前記コモン電極の一部の領域であって、前記第一の画素の前記各画素電極と対向する各領域に第一の突起部材又は開口部をそれぞれ形成すると共に、前記コモン電極の一部の領域であって、前記第二の画素の前記各画素電極と対向する各領域に上下又は左右に非対称な第二の突起部材又は開口部をそれぞれ形成する工程と、
を含むことを特徴とする液晶表示装置の製造方法。
【請求項１４】
前記第一の突起部材又は開口部を、前記第二の突起部材又は開口部とは異なる形態で上下又は左右に非対称にそれぞれ形成することを特徴とする請求項１３に記載の液晶表示装置の製造方法。
【請求項１５】
前記第一の突起部材又は開口部を、上下及び左右に対称にそれぞれ形成することを特徴とする請求項１３に記載の液晶表示装置の製造方法。
【発明の詳細な説明】
【技術分野】
【０００１】
本発明は、液晶表示装置及びその製造方法に係り、特に、二つの表示画像を二方向からそれぞれ視認可能な液晶表示装置及びその製造方法に関する。
【背景技術】
【０００２】
液晶表示装置は、一方の透明基板上にマトリクス状に配設された多数の画素電極と、他方の透明電極上に各画素電極と対向して形成されたコモン電極との間に駆動電圧を印加することにより、各画素電極とコモン電極との間の液晶中に配向している液晶分子の配向方向を制御して、様々な表示を行う表示装置である。
【０００３】
図９は、従来の液晶表示装置の視認角度と視認される表示画面の輝度との関係、即ち、視野角特性を示すグラフであり、図１０は、従来の液晶表示装置の視野角特性を模式的に表した説明図である。
【０００４】
図９に示すように、従来の液晶表示装置は、表示画面に対し垂直な方向、即ち、視認角度０°から視認される際の画像表示の輝度が最も高く、上記垂直な方向を基準とした視認角度の絶対値が大きくなるに従って視認される画像表示の輝度が徐々に低下するという視野角特性を有している。
【０００５】
従って、図１０に示すように、真正面から表示画面を見るときに表示画像が最も明るく見え、左右の斜め方向から表示画面を見るときには視認角度に応じて表示画像が暗く見えることになる。
【０００６】
一方、液晶表示装置の中には、表示画面に含まれる多数の画素を二つのグループに分けて第一及び第二の画素グループとし、第一の画素グループと第二の画素グループとにそれぞれ第一の画像と第二の画像とを表示させ、表示画面を左方向から見たときには第一の画像が視認され、表示画面を右方向から見たときには第二の画像が視認されるように構成されたデュアルヴュー（Dual View ）液晶表示装置がある。
【０００７】
デュアルヴュー液晶表示装置は、例えばカーナビゲーションシステムの表示ディスプレイ装置等の車載ディスプレイ装置として自動車のインストルメントパネル（又はダッシュボード）の通常は中央部に設置され、運転席側から見た場合には例えば地図画像が視認され、助手席側から見た場合には例えばテレビジョン受信画像が視認されるように、二つの異なる表示画像を同時に表示することができる。
【０００８】
従来のデュアルヴュー液晶表示装置の一構成例では、第一の画素グループに属する画素と第二の画素グループに属する画素とを上下左右に交互に配置しておき、表示画面を左方向から見たときには第二の画素グループに属する画素を遮蔽して第一の画素グループに属する画素のみを視認可能とすると共に表示画面を右方向から見たときには第一の画素グループに属する画素を遮蔽して第二の画素グループに属する画素のみを視認可能とするように、画素配置に対応した格子状の形態の視認角度制御バリア（Viewing Angle Control Barrier ）を表示画面の前面に配置することによって、表示画面を左方向から見たときと右方向から見たときとで異なる表示画像が視認されるように構成されている。
【０００９】
また、従来のデュアルヴュー液晶表示装置の別の構成例では、第一の画素グループに属する画素列と第二の画素グループに属する画素列とを左右に交互に配置しておき、表示画面を左方向から見たときには第二の画素グループに属する画素列を遮蔽して第一の画素グループに属する画素列のみを視認可能とすると共に表示画面を右方向から見たときには第一の画素グループに属する画素列を遮蔽して第二の画素グループに属する画素列のみを視認可能とするように、画素配置に対応したスリット状の形態の視認角度制御バリアを表示画面の前面に配置することによって、表示画面を左方向から見たときと右方向から見たときとで異なる表示画像が視認されるように構成されている。
【００１０】
いずれの構成であっても、従来のデュアルヴュー液晶表示装置においては、視認角度制御バリアが必要であり、かつ、その視認角度制御バリアを画素配置に対応して高精度に位置決めしなければならない。
【００１１】
従来のデュアルヴュー液晶表示装置における第一の画素グループと第二の画素グループとは、各画素グループに属する画素の画素電極に印加される駆動電圧の制御によってそれぞれ異なる画像を表示するようになっているが、第一の画素グループに属する画素も第二の画素グループに属する画素も画素自体の構造は相互に全く同様になっている。
【００１２】
図１１は、従来のデュアルヴュー液晶表示装置における第一の画素グループに属する画素（ａ）及び第二の画素グループに属する画素（ｂ）の第一の概略構成例を示す平面図である。
【００１３】
図１１（ａ）及び（ｂ）に示す第一の概略構成例では、第一の画素グループに属する画素（1st pixel）７１及び第二の画素グループに属する画素（2nd pixel）７２のいずれの領域においても、一方又は他方の透明基板上に形成された配向膜には同様のラビング処理が施されており、このラビング処理に応じた所定の配向状態となっている液晶分子の配向方向を、画素電極に印加する駆動電圧の制御によって変化させることにより、第一の画素グループと第二の画素グループとにそれぞれ異なる画像を表示させることができる。
【００１４】
しかし、上記ラビング処理は、高い歩留まりを確保しつつ高精度に実施することが困難であることから、配向膜を形成してラビング処理を行う代わりに、各画素電極と対向するコモン電極の各領域の中央部に突起部材又は開口部を形成する構成が採用されるようになってきている。
【００１５】
図１２は、従来のデュアルヴュー液晶表示装置における第一の画素グループに属する画素（ａ）及び第二の画素グループに属する画素（ｂ）の第二の概略構成例を示す平面図である。
【００１６】
図１２（ａ）及び（ｂ）に示す第二の概略構成例では、第一の画素グループに属する画素（1st pixel）８１、第二の画素グループに属する画素（2nd pixel）８２のいずれの領域においても、各画素電極と対向するコモン電極の各領域の中央部に突起部材又は開口部３０１，３０２が形成されている。
【００１７】
図１３は、従来のデュアルヴュー液晶表示装置における第一及び第二の画素グループに属する画素の第二の概略構成例の第一の断面構造（１）及び第二の断面構造（２）を示す断面図である。
【００１８】
図１３（１）及び（２）に示す第一及び第二の断面構造のいずれにおいても、一方の透明基板４０１上に配設された画素電極４１１と、一方の透明基板４０１と対向する他方の透明電極４０２上に画素電極４１１と対向して形成されたコモン電極４１２とが備えられている。
【００１９】
そして、図１３（１）に示す第一の断面構造においては、画素電極４１１と対向するコモン電極４１２の領域の中央部に突起部材３０３ａが形成されている。
【００２０】
また、図１３（２）に示す第二の断面構造においては、画素電極４１１と対向するコモン電極４１２の領域の中央部に開口部３０３ｂが形成されている。
【００２１】
図１２に示す平面図との対応を述べると、通常は、突起部材又は開口部３０１，３０２の両方が突起部材３０３ａとされ、あるいは、突起部材又は開口部３０１，３０２の両方が開口部３０３ｂとされる。
【００２２】
このように、各画素電極４１１と対向するコモン電極４１２の各領域の中央部に突起部材３０３ａ又は開口部３０３ｂを形成する構造においては、図１２に示す平面図の方向で見ると、突起部材３０３ａ又は開口部３０３ｂの周囲に上下左右対称に液晶分子が配向する。
【００２３】
斯かる構造においても、突起部材３０３ａ又は開口部３０３ｂの周囲に上下左右対称に配向している液晶分子の配向方向を、画素電極に印加する駆動電圧の制御によって変化させることにより、第一の画素グループと第二の画素グループとにそれぞれ異なる画像を表示させることができる。
【００２４】
配向膜を形成してラビング処理を行う代わりに、各画素電極４１１と対向するコモン電極４１２の各領域の中央部に突起部材３０３ａ又は開口部３０３ｂを形成する構造は、高い歩留まりを確保しつつ高精度に製造することが比較的容易である。
【００２５】
従来のデュアルヴュー液晶表示装置は、デュアルヴュー表示が可能な構成を有していても、第一の画素グループに属する画素も第二の画素グループに属する画素も画素自体の構造は上述のように相互に全く同様であり、従って、画素自体の構造は従来の通常の液晶表示装置と全く同様である。
【００２６】
よって、従来のデュアルヴュー液晶表示装置においては、第一の画素グループによる画像表示も第二の画素グループによる画像表示も、視野角特性に関しては通常の従来の液晶表示装置と全く同様である。
【００２７】
図１４は、従来のデュアルヴュー液晶表示装置における第一の画素グループに属する画素及び第二の画素グループに属する画素の視認角度と視認される表示画面の輝度との関係、即ち、視野角特性を示すグラフであり、図１５は、従来のデュアルヴュー液晶表示装置における第一の画素グループに属する画素及び第二の画素グループに属する画素の視野角特性を模式的に表した説明図である。
【００２８】
図１４に示すように、従来のデュアルヴュー液晶表示装置における第一の画素グループに属する画素も第二の画素グループに属する画素も、視認角度制御バリアを配置する前の状態では、表示画面に対し垂直な方向から視認される際の画像表示の輝度が最も高く、上記垂直な方向を基準とした視認角度の絶対値が大きくなるに従って視認される画像表示の輝度が徐々に低下するという図９に示す視野角特性を有している。
【００２９】
この視野角特性は、配向膜を形成してラビング処理を行う構造、及び、各画素電極と対向するコモン電極の各領域の中央部に突起部材又は開口部を形成する構造のいずれを採用する場合であっても、同様である。
【００３０】
従って、従来のデュアルヴュー液晶表示装置を構成するためには、視認角度制御バリアが必要であり、かつ、その視認角度制御バリアを画素配置に対応して高精度に位置決めしなければならない。
【００３１】
尚、従来の技術においては、平面表示装置において左右方向から視認される画像を少しでも明るく表示すべく、プリズムシートを用いた構成が提案されている（例えば、特許文献１を参照。）。
【特許文献１】特開２００１−１９５９１３号公報
【発明の開示】
【発明が解決しようとする課題】
【００３２】
しかし、従来のデュアルヴュー液晶表示装置の構成では、上述の視認角度制御バリアの位置決めがわずかでもずれると、第一の画素グループにより表示される第一の画像又は第二の画素グループにより表示される第二の画像のいずれか一方又は両方が不鮮明になったり、あるいは、両方の画像が混じり合ったりするなどして、一方又は両方の画像が見にくくなる。
【００３３】
即ち、従来のデュアルヴュー液晶表示装置は、配向膜を形成してラビング処理を行う代わりに、各画素電極と対向するコモン電極の各領域の中央部に突起部材又は開口部を形成する構造を採用したとしても、視認角度制御バリアという構成要素を必要不可欠な構成要素として同様に含むために、製造歩留まりを向上させることが困難であるという問題がある。
【００３４】
また、従来のデュアルヴュー液晶表示装置を構成する元の液晶表示装置、即ち、視認角度制御バリアを除外したと仮定したときの液晶表示装置の視野角特性は、図１４に示した通り、図９に示す通常の従来の液晶表示装置と全く同様である。
【００３５】
従って、図１４及び図１５に示すように、表示画面を左方向から見たときに視認される第一の画素グループによる第一の画像表示も、表示画面を右方向から見たときに視認される第二の画素グループによる第二の画像表示も、表示画面に対し垂直な方向から視認される画像表示と比較すると、その輝度は６０％乃至７０％程度でしかなく、暗くて見にくい画像表示であるという問題がある。
【００３６】
特に、デュアルヴュー液晶表示装置がカーナビゲーションシステムの表示ディスプレイ装置等の車載ディスプレイ装置として使用される場合には、表示された情報を瞬時に認識できるような明るく鮮明な画像表示が要求される。
【００３７】
本発明の目的は、二方向からそれぞれ明るく鮮明に視認される二つの画像表示が可能な構成であって、製造歩留まりを向上させることが容易な構成を有する液晶表示装置及びその製造方法を提供することである。
【課題を解決するための手段】
【００３８】
本発明の一態様に係る液晶表示装置によれば、第一の透明基板と、上記第一の透明基板上に配設され、第一の画像を表示する第一の画素グループに属する第一の画素の画素電極と、上記第一の透明基板上に配設され、第二の画像を表示する第二の画素グループに属する第二の画素の画素電極と、上記第一の透明基板と対向する第二の透明基板と、上記第二の透明基板上に上記各画素電極と対向して形成されたコモン電極と、上記コモン電極の一部の領域であって、上記第一の画素の上記各画素電極と対向する各領域にそれぞれ形成された第一の突起部材又は開口部と、上記コモン電極の一部の領域であって、上記第二の画素の上記各画素電極と対向する各領域に上下又は左右に非対称にそれぞれ形成された第二の突起部材又は開口部と、を備えていることを特徴とする液晶表示装置が提供される。
【００３９】
本発明の上記一態様に係る液晶表示装置において、上記第二の突起部材又は開口部は、上記第二の画素の上記画素電極と対向する上記コモン電極の上記領域の画素の中心と右辺との間の縦方向中央近傍部に若しくは画素の右辺中央近傍部に沿って又は画素の中心と左辺との間の縦方向中央近傍部に若しくは画素の左辺中央近傍部に沿って形成された、又は、上記第二の画素の上記画素電極と対向する上記コモン電極の上記領域の画素の中心と下辺との間の横方向中央近傍部に若しくは画素の下辺中央近傍部に沿って又は画素の中心と上辺との間の横方向中央近傍部に若しくは画素の上辺中央近傍部に沿って形成された基本部分を含むものとするとよい。
【００４０】
上記第二の突起部材又は開口部は、上記基本部分の両端に鈍角を形成する方向に向かって形成された二つの付加部分をさらに含むものとするとよい。
【００４１】
本発明の上記一態様に係る液晶表示装置において、上記第一の突起部材又は開口部は、上記第二の突起部材又は開口部とは異なる形態で上下又は左右に非対称にそれぞれ形成されたものとするとよい。
【００４２】
上記第一の突起部材又は開口部は、上記第一の画素の上記画素電極と対向する上記コモン電極の上記領域の画素の中心と右辺との間の縦方向中央近傍部に若しくは画素の右辺中央近傍部に沿って又は画素の中心と左辺との間の縦方向中央近傍部に若しくは画素の左辺中央近傍部に沿って形成された、又は、上記第一の画素の上記画素電極と対向する上記コモン電極の上記領域の画素の中心と下辺との間の横方向中央近傍部に若しくは画素の下辺中央近傍部に沿って又は画素の中心と上辺との間の横方向中央近傍部に若しくは画素の上辺中央近傍部に沿って形成された基本部分を含むものとするとよい。
【００４３】
上記第一の突起部材又は開口部は、上記基本部分の両端に鈍角を形成する方向に向かって形成された二つの付加部分をさらに含むものとするとよい。
【００４４】
また、本発明の上記一態様に係る液晶表示装置において、上記第一の突起部材又は開口部は、上下及び左右に対称にそれぞれ形成されたものとしてもよい。
【００４５】
本発明の上記各態様に係る液晶表示装置において、上記第一の画素と上記第二の画素とが、上下左右に交互に配置されているものとするとよい。
【００４６】
又は、上記第一の画素と上記第二の画素とが、それぞれ横列に配置され、かつ、上記第一の画素の横列と上記第二の画素の横列とが上下に交互に配置されているものとしてもよい。
【００４７】
又は、上記第一の画素と上記第二の画素とが、それぞれ縦列に配置され、かつ、上記第一の画素の縦列と上記第二の画素の縦列とが左右に交互に配置されているものとしてもよい。
【００４８】
本発明の上記各態様に係る液晶表示装置において、上記突起部材又は開口部が突起部材である場合、当該突起部材は、絶縁材料により形成されているものとするとよい。上記絶縁材料は、特に、透明な絶縁材料であるものとするとよい。
【００４９】
上記コモン電極は、ＩＴＯ（Indium Tin Oxide：酸化インジウムスズ）により形成されているものとするとよい。
【００５０】
本発明の一態様に係る電子装置によれば、上記各態様に係る液晶表示装置のいずれかを備えている電子装置が提供される。
【００５１】
上記電子装置は、車載ディスプレイ装置であるものとするとよい。
【００５２】
又は、上記電子装置は、携帯型電話装置、ディジタルカメラ、個人用情報端末装置（ＰＤＡ）、ノート型コンピュータ、デスクトップコンピュータ、テレビジョン受像器、ポータブルＤＶＤプレーヤ、ポータブル・ブルーレイディスク・プレーヤのいずれかであるものとしてもよい。
【００５３】
本発明の一態様に係る液晶表示装置の製造方法によれば、第一の画像を表示する第一の画素グループに属する第一の画素の画素電極、及び、第二の画像を表示する第二の画素グループに属する第二の画素の画素電極を、第一の透明基板上に形成する工程と、上記第一の透明基板と対向する第二の透明基板上に、上記各画素電極と対向するコモン電極を形成する工程と、上記コモン電極の一部の領域であって、上記第一の画素の上記各画素電極と対向する各領域に第一の突起部材又は開口部をそれぞれ形成すると共に、上記コモン電極の一部の領域であって、上記第二の画素の上記各画素電極と対向する各領域に上下又は左右に非対称な第二の突起部材又は開口部をそれぞれ形成する工程と、を含むことを特徴とする液晶表示装置の製造方法が提供される。
【００５４】
本発明の上記一態様に係る液晶表示装置の製造方法において、上記第一の突起部材又は開口部を、上記第二の突起部材又は開口部とは異なる形態で上下又は左右に非対称にそれぞれ形成するものとするとよい。
【００５５】
また、本発明の上記一態様に係る液晶表示装置の製造方法において、上記第一の突起部材又は開口部を、上下及び左右に対称にそれぞれ形成するものとしてもよい。
【発明の効果】
【００５６】
本発明は、上記各態様により、二方向からそれぞれ明るく鮮明に視認される二つの画像表示を実現すると共に、製造歩留まりの大幅な向上を達成し得る液晶表示装置及びその製造方法を提供することができる。
【発明を実施するための最良の形態】
【００５７】
本発明に係る液晶表示装置の製造方法により製造された液晶表示装置、即ち、本発明に係る液晶表示装置は、液晶分子を配向させるための構成として、コモン電極の各画素電極と対向する各領域に突起部材又は開口部を形成する構成を採用しており、かつ、第一の画像を表示する第一の画素グループに属する画素及び第二の画像を表示する第二の画素グループに属する画素の一方又は両方における突起部材又は開口部が上下又は左右に非対称な構成であって相互に異なる構成を有している点に特徴を有している。
【００５８】
そして、上下又は左右に非対称な突起部材又は開口部の形態を適当に設計することにより、第一の画素グループによる表示画像及び第二の画素グループによる表示画像のそれぞれの想定視認角度における輝度が高くなるようにすることが可能である。
【００５９】
以下、本発明に係る液晶表示装置及びその製造方法の実施の形態について、図面を参照しながら詳細に説明する。
【００６０】
図１は、本発明の第一の実施の形態に係る液晶表示装置の製造方法により製造された液晶表示装置、即ち、本発明の第一の実施の形態に係る液晶表示装置に備えられた第一の画素グループに属する第一の画素（1st pixel）１１及び第二の画素グループに属する第二の画素（2nd pixel）１２の構成を示す平面図である。
【００６１】
本発明の第一の実施の形態に係る液晶表示装置においては、図１（ａ）に示すように、第一の画像を表示する第一の画素グループに属する第一の画素（1st pixel）１１のコモン電極の画素電極と対向する領域には、画素の中心と右辺との間に又は右辺に沿って形成された突起部材又は開口部１０１が備えられ、図１（ｂ）に示すように、第二の画像を表示する第二の画素グループに属する第二の画素（2nd pixel）１２のコモン電極の画素電極と対向する領域には、画素の中心と左辺との間に又は左辺に沿って形成された突起部材又は開口部１０２が備えられている。ここでは、突起部材又は開口部１０１は、画素の右辺に沿って形成されており、突起部材又は開口部１０２は、画素の左辺に沿って形成されている。
【００６２】
コモン電極は、通常、ＩＴＯ（Indium Tin Oxide：酸化インジウムスズ）により形成される透明電極である。
【００６３】
一方、突起部材又は開口部１０１が突起部材である場合、当該突起部材１０１は、通常、絶縁材料により形成される。画素の光透過率を考慮すると、突起部材１０１は、透明な絶縁材料で形成することが望ましい。
【００６４】
本発明の第一の実施の形態に係る液晶表示装置の第一の画素グループに属する第一の画素１１及び第二の画素グループに属する第二の画素１２の断面構造は、第一の画素１１の突起部材又は開口部１０１及び第二の画素１２の突起部材又は開口部１０２の配設位置が異なる点を除くと、図１３（１）に示す突起部材３０３ａが形成された第一の断面構造又は図１３（２）に示す開口部３０３ｂが形成された第二の断面構造と同様である。
【００６５】
即ち、第一の画素１１及び第二の画素１２には、第一の透明基板４０１と、第一の透明基板４０１上に配設された画素電極４１１と、第一の透明基板４０１と対向する第二の透明基板４０２と、第二の透明基板４０２上に画素電極４１１と対向して形成されたコモン電極４１２とが備えられている。
【００６６】
また、液晶表示装置にカラーフィルタが備えられている場合、第二の透明基板４０２とコモン電極４１２との間にカラーフィルタが形成される。
【００６７】
第一の画素１１の突起部材又は開口部１０１が突起部材である場合には、図１３（１）に示す第一の断面構造における突起部材３０３ａと同様の突起部材１０１が、コモン電極４１２の画素電極４１１と対向する領域の画素の中心と右辺との間に又は右辺に沿って形成され、また、第二の画素１２の突起部材又は開口部１０２が突起部材である場合には、図１３（１）に示す第一の断面構造における突起部材３０３ａと同様の突起部材１０２が、コモン電極４１２の画素電極４１１と対向する領域の画素の中心と左辺との間に又は左辺に沿って形成される。
【００６８】
逆に、第一の画素１１の突起部材又は開口部１０１が開口部である場合には、図１３（２）に示す第二の断面構造における開口部３０３ｂと同様の開口部１０１が、コモン電極４１２の画素電極４１１と対向する領域の画素の中心と右辺との間に又は右辺に沿って形成され、また、第二の画素１２の突起部材又は開口部１０２が開口部である場合には、図１３（２）に示す第二の断面構造における開口部３０３ｂと同様の開口部１０２が、コモン電極４１２の画素電極４１１と対向する領域の画素の中心と左辺との間に又は左辺に沿って形成される。
【００６９】
第一の画素１１の突起部材又は開口部１０１及び第二の画素１２の突起部材又は開口部１０２が突起部材又は開口部のいずれの場合においても、図１に示す平面図の方向で見ると、突起部材又は開口部１０１の左側に一方の端部を向ける状態で液晶分子が配向し、突起部材又は開口部１０２の右側に一方の端部を向ける状態で液晶分子が配向する。
【００７０】
即ち、本発明の第一の実施の形態に係る液晶表示装置においては、第一の画素グループに属する第一の画素１１及び第二の画素グループに属する第二の画素１２のいずれにおいても左右非対称に液晶分子が配向するが、第一の画素１１では平面図における縦方向の中心線よりも右寄りに液晶分子が配向し、第二の画素１２では平面図における縦方向の中心線よりも左寄りに液晶分子が配向する。
【００７１】
但し、第一の画素１１の突起部材又は開口部１０１及び第二の画素１２の突起部材又は開口部１０２は、第一の画素１１及び第二の画素１２の平面図における横方向の中心線に関し上下対称であるので、液晶分子の配向状態も上下には対称となる。
【００７２】
そして、本発明の第一の実施の形態に係る液晶表示装置においては、第一の画素グループに属する第一の画素１１と第二の画素グループに属する第二の画素１２とが、上下左右に交互に、又は、左右に交互に、配設されている。即ち、第一の画素グループに属する第一の画素１１と第二の画素グループに属する第二の画素１２とが、チェスボード状の格子状に、又は、交互に縦列に、配設されている。
【００７３】
上述のような本発明の第一の実施の形態に係る液晶表示装置の構造においても、第一の画素１１の突起部材又は開口部１０１及び第二の画素１２の突起部材又は開口部１０２の周囲に左右非対称に配向している液晶分子の配向方向を、画素電極に印加する駆動電圧の制御によって変化させることにより、第一の画素グループと第二の画素グループとにそれぞれ第一の画像と第二の画像とを表示させることができる。尚、第一の画像と第二の画像とは、相互に異なる画像であってもよいし、同一の画像であってもよい。
【００７４】
前述のように、配向膜を形成してラビング処理を行う代わりに、コモン電極４１２の各画素電極４１１と対向する各領域に突起部材又は開口部１０１及び突起部材又は開口部１０２を形成する構造は、高い歩留まりを確保しつつ高精度に製造することが比較的容易である。
【００７５】
図２は、本発明の第一の実施の形態に係る液晶表示装置における第一の画素グループに属する第一の画素（1st pixel）及び第二の画素グループに属する第二の画素（2nd pixel）の視認角度と視認される表示画面の輝度との関係、即ち、視野角特性を示すグラフであり、図３は、本発明の第一の実施の形態に係る液晶表示装置における第一の画素グループに属する第一の画素及び第二の画素グループに属する第二の画素の視野角特性を模式的に表した説明図である。
【００７６】
本発明の第一の実施の形態に係る液晶表示装置においては、第一の画素１１の中心と右辺との間に又は右辺に沿って形成された突起部材又は開口部１０１及び第二の画素１２の中心と左辺との間に又は左辺に沿って形成された突起部材又は開口部１０２にそれぞれ一方の端部を向ける状態で液晶分子が左右非対称に配向するので、図２に示すように、第一の画素グループに属する第一の画素（1st pixel）による第一の表示画像は、表示画面に対し垂直な方向を基準として右に３０°の視認角度（＋３０°）から視認される際の輝度が最も高く、第二の画素グループに属する第二の画素（2nd pixel）による第二の表示画像は、表示画面に対し垂直な方向を基準として左に３０°の視認角度（−３０°）から視認される際の輝度が最も高くなっている。
【００７７】
逆に、視認角度＋３０°から視認される第一の表示画像及び視認角度−３０°から視認される第二の表示画像は、輝度が非常に低くほとんど視認されない。
【００７８】
従って、本発明の第一の実施の形態に係る液晶表示装置１は、図３に示すように、右に３０°即ち＋３０°の視認角度から見ると、第一の表示画像が明るく鮮明に視認される一方、第二の表示画像はほとんど視認されず、左に３０°即ち−３０°の視認角度から見ると、第二の表示画像が明るく鮮明に視認される一方、第一の表示画像はほとんど視認されない。
【００７９】
尚、図２の視野角特性のグラフから分かるように、第一の表示画像は、右に３０°±１５°即ち＋３０°±１５°の視認角度から十分に明るく鮮明に視認され、第二の表示画像は、左に３０°±１５°即ち−３０°±１５°の視認角度から十分に明るく鮮明に視認される。
【００８０】
また、右に３０°±１５°即ち＋３０°±１５°の視認角度から見たときの第二の表示画像及び左に３０°±１５°即ち−３０°±１５°の視認角度から見たときの第一の表示画像は、液晶表示素子の視野角特性を利用してほとんど視認されないようにしているので、本発明の第一の実施の形態に係る液晶表示装置においては、従来のデュアルヴュー液晶表示装置において必要不可欠な構成要素であった視認角度制御バリア（Viewing Angle Control Barrier ）が不要であり、従って、本発明の第一の実施の形態に係る液晶表示装置の製造方法における製造工程においても、視認角度制御バリアを画素配置に対応して高精度に位置決めする工程が不要である。
【００８１】
従って、本発明の第一の実施の形態に係る液晶表示装置及びその製造方法によれば、二方向からそれぞれ明るく鮮明に視認される二つの画像表示を実現すると共に、製造歩留まりの大幅な向上を達成し得る液晶表示装置及びその製造方法を提供することができる。
【００８２】
図４は、本発明の第二の実施の形態に係る液晶表示装置の製造方法により製造された液晶表示装置、即ち、本発明の第二の実施の形態に係る液晶表示装置に備えられた第一の画素グループに属する第一の画素（1st pixel）２１及び第二の画素グループに属する第二の画素（2nd pixel）２２の構成を示す平面図である。
【００８３】
本発明の第二の実施の形態に係る液晶表示装置においては、図２（ａ）に示すように、第一の画像を表示する第一の画素グループに属する第一の画素（1st pixel）２１のコモン電極の画素電極と対向する領域には、中央部に上下左右対称に形成された突起部材又は開口部２０１が備えられ、図２（ｂ）に示すように、第二の画像を表示する第二の画素グループに属する第二の画素（2nd pixel）２２のコモン電極の画素電極と対向する領域には、画素の中心と左辺との間に又は左辺に沿って形成された突起部材又は開口部２０２が備えられている。
【００８４】
コモン電極は、前述のように、通常、ＩＴＯにより形成される透明電極である。
【００８５】
一方、突起部材又は開口部２０１が突起部材である場合、当該突起部材２０１は、通常、絶縁材料により形成される。画素の光透過率を考慮すると、突起部材２０１は、前述の突起部材１０１と同様に、透明な絶縁材料で形成することが望ましい。
【００８６】
本発明の第二の実施の形態に係る液晶表示装置における第二の画素グループに属する第二の画素２２の構成は、本発明の第一の実施の形態に係る液晶表示装置における第二の画素グループに属する第二の画素１２の構成と同様の左右非対称な構成であるが、本発明の第二の実施の形態に係る液晶表示装置における第一の画素グループに属する第一の画素２１の構成は、本発明の第一の実施の形態に係る液晶表示装置における第一の画素グループに属する第一の画素１２の構成と同様の左右非対称な構成ではなく、図１２（ａ）に示した従来のデュアルヴュー液晶表示装置における第一の画素グループに属する画素８１の構成と同様の上下左右対称な構成となっている。
【００８７】
従って、本発明の第二の実施の形態に係る液晶表示装置の第一の画素グループに属する第一の画素２１の断面構造は、図１３（１）に示す突起部材３０３ａが形成された第一の断面構造又は図１３（２）に示す開口部３０３ｂが形成された第二の断面構造と全く同様である。
【００８８】
また、本発明の第二の実施の形態に係る液晶表示装置の第二の画素グループに属する第二の画素２２の断面構造は、第二の画素２２の突起部材又は開口部２０２の配設位置が異なる点を除くと、図１３（１）に示す突起部材３０３ａが形成された第一の断面構造又は図１３（２）に示す開口部３０３ｂが形成された第二の断面構造と同様である。
【００８９】
即ち、第一の画素２１及び第二の画素２２には、第一の透明基板４０１と、第一の透明基板４０１上に配設された画素電極４１１と、第一の透明基板４０１と対向する第二の透明基板４０２と、第二の透明基板４０２上に画素電極４１１と対向して形成されたコモン電極４１２とが備えられている。
【００９０】
また、液晶表示装置にカラーフィルタが備えられている場合、第二の透明基板４０２とコモン電極４１２との間にカラーフィルタが形成される。
【００９１】
第一の画素２１の突起部材又は開口部２０１が突起部材である場合には、図１３（１）に示す第一の断面構造における突起部材３０３ａと同様の突起部材２０１が、コモン電極４１２の画素電極４１１と対向する領域の中央部に上下左右対称に形成され、また、第二の画素２２の突起部材又は開口部２０２が突起部材である場合には、図１３（１）に示す第一の断面構造における突起部材３０３ａと同様の突起部材２０２が、コモン電極４１２の画素電極４１１と対向する領域の画素の中心と左辺との間に又は左辺に沿って形成される。
【００９２】
逆に、第一の画素２１の突起部材又は開口部２０１が開口部である場合には、図１３（２）に示す第二の断面構造における開口部３０３ｂと同様の開口部１０１が、コモン電極４１２の画素電極４１１と対向する領域の中央部に上下左右対称に形成され、また、第二の画素２２の突起部材又は開口部２０２が開口部である場合には、図１３（２）に示す第二の断面構造における開口部３０３ｂと同様の開口部１０２が、コモン電極４１２の画素電極４１１と対向する領域の画素の中心と左辺との間に又は左辺に沿って形成される。
【００９３】
第一の画素２１の突起部材又は開口部２０１及び第二の画素２２の突起部材又は開口部２０２が突起部材又は開口部のいずれの場合においても、図４に示す平面図の方向で見ると、突起部材又は開口部２０１の周囲に一方の端部を向ける状態で液晶分子が配向し、突起部材又は開口部２０２の右側に一方の端部を向ける状態で液晶分子が配向する。
【００９４】
即ち、本発明の第二の実施の形態に係る液晶表示装置においては、第一の画素グループに属する第一の画素２１では上下左右対称に液晶分子が配向するが、第二の画素グループに属する第二の画素２２では、平面図における縦方向の中心線よりも左寄りに左右非対称に液晶分子が配向する。
【００９５】
但し、第一の画素２１の突起部材又は開口部２０１も第二の画素２２の突起部材又は開口部２０２も、第一の画素２１及び第二の画素２２の平面図における横方向の中心線に関しそれぞれ上下対称であるので、液晶分子の配向状態も上下にはそれぞれ対称となる。
【００９６】
そして、本発明の第二の実施の形態に係る液晶表示装置においては、第一の画素グループに属する第一の画素２１と第二の画素グループに属する第二の画素２２とが、上下左右に交互に、又は、左右に交互に、配設されている。即ち、第一の画素グループに属する第一の画素２１と第二の画素グループに属する第二の画素２２とが、チェスボード状の格子状に、又は、交互に縦列に、配設されている。
【００９７】
上述のような本発明の第二の実施の形態に係る液晶表示装置の構造においても、第一の画素２１の突起部材又は開口部２０１の周囲に上下左右対称に配向している液晶分子の配向方向及び第二の画素２２の突起部材又は開口部２０２の周囲に左右非対称に配向している液晶分子の配向方向を、画素電極に印加する駆動電圧の制御によって変化させることにより、第一の画素グループと第二の画素グループとにそれぞれ第一の画像と第二の画像とを表示させることができる。尚、第一の画像と第二の画像とは、相互に異なる画像であってもよいし、同一の画像であってもよい。
【００９８】
前述のように、配向膜を形成してラビング処理を行う代わりに、コモン電極４１２の各画素電極４１１と対向する各領域に突起部材又は開口部２０１及び突起部材又は開口部２０２を形成する構造は、高い歩留まりを確保しつつ高精度に製造することが比較的容易である。
【００９９】
図５は、本発明の第二の実施の形態に係る液晶表示装置における第一の画素グループに属する第一の画素（1st pixel）及び第二の画素グループに属する第二の画素（2nd pixel）の視認角度と視認される表示画面の輝度との関係、即ち、視野角特性を示すグラフである。
【０１００】
本発明の第二の実施の形態に係る液晶表示装置においては、第二の画素２２の中心と左辺との間に又は左辺に沿って形成された突起部材又は開口部２０２に一方の端部を向ける状態で液晶分子が左右非対称に配向するので、図５に示すように、第二の画素グループに属する第二の画素（2nd pixel）による第二の表示画像は、表示画面に対し垂直な方向を基準として左に３０°の視認角度（−３０°）から視認される際の輝度が最も高くなっている。
【０１０１】
一方、本発明の第二の実施の形態に係る液晶表示装置においては、第一の画素２１の中央部に上下左右対称に形成された突起部材又は開口部２０１に一方の端部を向ける状態で液晶分子が上下左右対称に配向するので、第一の画素グループに属する第一の画素（1st pixel）による第一の表示画像は、図９に示す従来の液晶表示装置又は図１４に示す従来のデュアルヴュー液晶表示装置と同様に、表示画面に対し垂直な方向、即ち、視認角度０°から視認される際の画像表示の輝度が最も高く、上記垂直な方向を基準とした視認角度の絶対値が大きくなるに従って視認される画像表示の輝度が徐々に低下する。
【０１０２】
従って、本発明の第二の実施の形態に係る液晶表示装置は、表示画面に対し垂直な方向、即ち、視認角度０°から見ると、第一の表示画像が明るく鮮明に視認され、左に３０°即ち−３０°の視認角度から見ると、第二の表示画像が明るく鮮明に視認される。
【０１０３】
尚、図５の視野角特性のグラフから分かるように、第一の表示画像は、０°±１５°の視認角度から十分に明るく鮮明に視認され、第二の表示画像は、左に３０°±１５°即ち−３０°±１５°の視認角度から十分に明るく鮮明に視認される。
【０１０４】
従って、本発明の第二の実施の形態に係る液晶表示装置では、視認角度によっては第一の表示画像と第二の表示画像とが重なり合って見えてしまう可能性があるが、表示画像の真正面からは第一の表示画像が明るく鮮明に視認され、表示画像の左方向からは第二の表示画像が明るく鮮明に視認される実施の形態の一例として示したものである。
【０１０５】
本発明の第二の実施の形態に係る液晶表示装置においても、液晶表示素子の視野角特性を利用して第一の表示画像及び第二の表示画像の想定視認角度を設定しているので、従来のデュアルヴュー液晶表示装置において必要不可欠な構成要素であった視認角度制御バリアが不要であり、従って、本発明の第二の実施の形態に係る液晶表示装置の製造方法における製造工程においても、視認角度制御バリアを画素配置に対応して高精度に位置決めする工程が不要である。
【０１０６】
従って、本発明の第二の実施の形態に係る液晶表示装置及びその製造方法によっても、二方向からそれぞれ明るく鮮明に視認される二つの画像表示を実現すると共に、製造歩留まりの大幅な向上を達成し得る液晶表示装置及びその製造方法を提供することができる。
【０１０７】
図６は、本発明の第一及び第二の実施の形態に係る液晶表示装置及びその製造方法における第一の画素グループに属する第一の画素及び第二の画素グループに属する第二の画素の突起部材又は開口部の種々の形成パターンを例示した平面図である。
【０１０８】
本発明の第二の実施の形態に係る液晶表示装置における第一の画素の突起部材又は開口部のように、上下左右対称な構成を有する突起部材又は開口部は、図６（ａ）に示すように、円形状の突起部材又は開口部５０１、対角線状の、即ち、Ｘ字状の突起部材又は開口部５０２、平面図における縦方向及び横方向の中心線状の、即ち、十文字状の突起部材又は開口部５０３、平面図における縦方向の中心線状の、即ち、Ｉ字状の突起部材又は開口部５０４、平面図における横方向の中心線状の、即ち、一文字状の突起部材又は開口部５０５等の種々の形成パターンが考えられる。
【０１０９】
本発明の第一の実施の形態に係る液晶表示装置における第一の画素の突起部材又は開口部のように、左右非対称な構成を有し、画素の中心と左辺との間に又は左辺に沿って形成された部分を含む突起部材又は開口部は、図６（ｂ）に示すように、画素の中心と左辺との間に又は左辺に沿って形成されたＩ字状の突起部材又は開口部５１１の他、画素の中心と左辺との間の縦方向中央近傍部に又は画素の左辺中央近傍部に沿って形成された基本部分と、その両端に鈍角を形成する方向に向かって形成された二つの付加部分とから構成される「開いたコの字状」の突起部材又は開口部５１２等の種々の形成パターンが考えられる。
【０１１０】
図６（ｂ）に示す二つの形成パターンのうち、画素の左辺に沿って形成されたＩ字状の突起部材又は開口部５１１では、角部近傍において液晶分子が配向する際に一方の端部を向ける方向が決定される際に、突起部材又は開口部５１１の方向と画素の上辺又は下辺の方向とにほぼ同等の大きさの力が働き、液晶分子の配向方向が一律に定まらずに配向状態に乱れを生じる場合がある。
【０１１１】
そこで、そのような液晶分子の配向状態の乱れを防止するために、「開いたコの字状」の突起部材又は開口部５１２を形成することが有効な対策として考えられる。
【０１１２】
以下、図６（ｂ）に示す二つの形成パターンと位置のみ異なる同様の形状パターンであるが、本発明の第一及び第二の実施の形態に係る液晶表示装置における第二の画素の突起部材又は開口部のように、左右非対称な構成を有し、画素の中心と右辺との間に又は右辺に沿って形成された部分を含む突起部材又は開口部は、図６（ｃ）に示すように、画素の中心と右辺との間に又は右辺に沿って形成されたＩ字状の突起部材又は開口部５２１の他、画素の中心と右辺との間の縦方向中央近傍部に又は画素の右辺中央近傍部に沿って形成された基本部分と、その両端に鈍角を形成する方向に向かって形成された二つの付加部分とから構成される「開いたコの字状」の突起部材又は開口部５２２等の種々の形成パターンが考えられる。
【０１１３】
また、本発明の第一及び第二の実施の形態に係る液晶表示装置における各画素の突起部材又は開口部とは異なるが、上下非対称な構成を有し、画素の中心と上辺との間に又は上辺に沿って形成された部分を含む突起部材又は開口部は、図６（ｄ）に示すように、画素の中心と上辺との間に又は上辺に沿って形成された一文字状の突起部材又は開口部５３１の他、画素の中心と上辺との間の横方向中央近傍部に又は画素の上辺中央近傍部に沿って形成された基本部分と、その両端に鈍角を形成する方向に向かって形成された二つの付加部分とから構成される「開いたコの字状」の突起部材又は開口部５３２等の種々の形成パターンが考えられる。
【０１１４】
同様に、上下非対称な構成を有し、画素の中心と下辺との間に又は下辺に沿って形成された部分を含む突起部材又は開口部は、図６（ｅ）に示すように、画素の中心と下辺との間に又は下辺に沿って形成された一文字状の突起部材又は開口部５４１の他、画素の中心と下辺との間の横方向中央近傍部に又は画素の下辺中央近傍部に沿って形成された基本部分と、その両端に鈍角を形成する方向に向かって形成された二つの付加部分とから構成される「開いたコの字状」の突起部材又は開口部５４２等の種々の形成パターンが考えられる。
【０１１５】
図６（ｄ）及び図６（ｅ）に示す上下非対称な構成を有する突起部材又は開口部は、第一の画素グループに属する第一の画素と第二の画素グループに属する第二の画素とが上下方向に交互に配列されていて、上下方向に視認角度を移動させたときに視認される画像表示が切り替わる構成の液晶表示装置を想定したものである。
【０１１６】
図７は、本発明の第一及び第二の実施の形態に係る液晶表示装置における第一及び第二の画素の第一の配列パターンを示す平面図である。
【０１１７】
図７に示す第一の配列パターンは、三色一組の副画素（sub pixel）により一画素が構成されている配列パターンの例である。
【０１１８】
第一の画素は、第一の赤色副画素Ｒ１、第一の緑色副画素Ｇ１及び第一の青色副画素Ｂ１から構成されており、第一の赤色副画素Ｒ１、第一の緑色副画素Ｇ１及び第一の青色副画素Ｂ１のそれぞれが上述の本発明の第一又は第二の実施の形態に係る液晶表示装置における第一の画素と同様の構成を有している。
【０１１９】
また、第二の画素は、第二の赤色副画素Ｒ２、第二の緑色副画素Ｇ２及び第二の青色副画素Ｂ２から構成されており、第二の赤色副画素Ｒ２、第二の緑色副画素Ｇ２及び第二の青色副画素Ｂ２のそれぞれが上述の本発明の第一又は第二の実施の形態に係る液晶表示装置における第二の画素と同様の構成を有している。
【０１２０】
そして、第一の赤色副画素Ｒ１、第一の緑色副画素Ｇ１及び第一の青色副画素Ｂ１により構成される第一の画素と、第二の赤色副画素Ｒ２、第二の緑色副画素Ｇ２及び第二の青色副画素Ｂ２により構成される第二の画素とがそれぞれ画像表示の一単位となっていて、上下関係と左右関係とが入れ替わっているが、上記第一及び第二の画素が上述の本発明の第一又は第二の実施の形態に係る液晶表示装置における第一及び第二の画素に対応している。
【０１２１】
従って、図７に示す第一の配列パターンは、第一の画素グループに属する第一の画素と第二の画素グループに属する第二の画素とが上下方向に交互に配列されていて、上下方向に視認角度を移動させたときに視認される画像表示が切り替わる構成の液晶表示装置を想定したものである。
【０１２２】
尚、図７に示す第一の配列パターンは、平面図上で反時計回りに９０°回転させると、第一及び第二の画素が上述の本発明の第一又は第二の実施の形態に係る液晶表示装置における第一及び第二の画素に対応するようになり、第一の画素グループに属する第一の画素と第二の画素グループに属する第二の画素とが左右方向に交互に配列されて、左右方向に視認角度を移動させたときに視認される画像表示が切り替わる構成の液晶表示装置に対応するものとなる。
【０１２３】
図８は、本発明の第一及び第二の実施の形態に係る液晶表示装置における第一及び第二の画素の第二乃至第四の配列パターンを示す平面図である。
【０１２４】
図８（ａ）乃至図８（ｃ）に示す第二乃至第四の配列パターンは、三色一組の画素（pixel ）により一画素セットが構成されている配列パターンの例である。
【０１２５】
図８（ａ）乃至図８（ｃ）に示す第二乃至第四の配列パターンにおいて、第一の画素セットは、第一の赤色画素Ｒ１１、第一の緑色画素Ｇ１１及び第一の青色画素Ｂ１１から構成されており、第一の赤色画素Ｒ１１、第一の緑色画素Ｇ１１及び第一の青色画素Ｂ１１のそれぞれが上述の本発明の第一又は第二の実施の形態に係る液晶表示装置における第一の画素と同様の構成を有している。
【０１２６】
また、第二の画素セットは、第二の赤色画素Ｒ１２、第二の緑色画素Ｇ１２及び第二の青色画素Ｂ１２から構成されており、第二の赤色画素Ｒ１２、第二の緑色画素Ｇ１２及び第二の青色画素Ｂ１２のそれぞれが上述の本発明の第一又は第二の実施の形態に係る液晶表示装置における第二の画素と同様の構成を有している。
【０１２７】
また、第三の画素セットは、第三の赤色画素Ｒ２１、第三の緑色画素Ｇ２１及び第三の青色画素Ｂ２１から構成されており、第三の赤色画素Ｒ２１、第三の緑色画素Ｇ２１及び第三の青色画素Ｂ２１のそれぞれが上述の本発明の第一又は第二の実施の形態に係る液晶表示装置における第一の画素と同様の構成を有している。
【０１２８】
また、第四の画素セットは、第四の赤色画素Ｒ２２、第四の緑色画素Ｇ２２及び第四の青色画素Ｂ２２から構成されており、第四の赤色画素Ｒ２２、第四の緑色画素Ｇ２２及び第四の青色画素Ｂ２２のそれぞれが上述の本発明の第一又は第二の実施の形態に係る液晶表示装置における第二の画素と同様の構成を有している。
【０１２９】
そして、第一の画素セットと、第二の画素セットと、第三の画素セットと、第四の画素セットとがそれぞれ画像表示の一単位となっている。
【０１３０】
図８（ａ）に示す第二の配列パターンにおいては、上述の本発明の第一又は第二の実施の形態に係る液晶表示装置における第一の画素に対応する第一及び第三の画素セットと、上述の本発明の第一又は第二の実施の形態に係る液晶表示装置における第二の画素に対応する第二及び第四の画素セットとが、上下左右に交互に配置されている。
【０１３１】
図８（ａ）に示す第二の配列パターンは、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下対称且つ左右非対称の構成を有している場合は、左右方向に視認角度を移動させたときに視認される画像表示が切り替わる構成の液晶表示装置に対応するものとなる。
【０１３２】
また、図８（ａ）に示す第二の配列パターンは、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下非対称且つ左右対称の構成を有している場合は、上下方向に視認角度を移動させたときに視認される画像表示が切り替わる構成の液晶表示装置に対応するものとなる。
【０１３３】
図８（ｂ）に示す第三の配列パターンにおいては、上述の本発明の第一又は第二の実施の形態に係る液晶表示装置における第一の画素に対応する第一及び第三の画素セットが横列に配置され、上述の本発明の第一又は第二の実施の形態に係る液晶表示装置における第二の画素に対応する第二及び第四の画素セットが横列に配置され、かつ、第一及び第三の画素セットの横列と第二及び第四の画素セットの横列とが上下に交互に配置されている。
【０１３４】
図８（ｂ）に示す第三の配列パターンも、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下対称且つ左右非対称の構成を有している場合は、左右方向に視認角度を移動させたときに視認される画像表示が切り替わる構成の液晶表示装置に対応するものとなる。
【０１３５】
また、図８（ｂ）に示す第三の配列パターンも、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下非対称且つ左右対称の構成を有している場合は、上下方向に視認角度を移動させたときに視認される画像表示が切り替わる構成の液晶表示装置に対応するものとなる。
【０１３６】
図８（ｃ）に示す第四の配列パターンにおいては、上述の本発明の第一又は第二の実施の形態に係る液晶表示装置における第一の画素に対応する第一及び第三の画素セットが縦列に配置され、上述の本発明の第一又は第二の実施の形態に係る液晶表示装置における第二の画素に対応する第二及び第四の画素セットが縦列に配置され、かつ、第一及び第三の画素セットの縦列と第二及び第四の画素セットの縦列とが左右に交互に配置されている。
【０１３７】
図８（ｃ）に示す第四の配列パターンも、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下対称且つ左右非対称の構成を有している場合は、左右方向に視認角度を移動させたときに視認される画像表示が切り替わる構成の液晶表示装置に対応するものとなる。
【０１３８】
また、図８（ｃ）に示す第四の配列パターンも、上述の本発明の第一の実施の形態に係る液晶表示装置における第一の画素に対応する第一及び第三の画素セットを構成する各色画素と、上述の本発明の第一又は第二の実施の形態に係る液晶表示装置における第二の画素に対応する第二及び第四の画素セットを構成する各色画素とが、それぞれ上下非対称且つ左右対称の構成を有している場合は、上下方向に視認角度を移動させたときに視認される画像表示が切り替わる構成の液晶表示装置に対応するものとなる。
【０１３９】
以上のように、前述の本発明の第一及び第二の実施の形態に係る液晶表示装置における第一及び第二の画素に備えられた突起部材又は開口部の構成並びに第一及び第二の画素の配列パターンを変更することにより、二つの表示画像を二方向からそれぞれ視認可能な種々の液晶表示装置の構成を実現することができる。
【０１４０】
本発明に係る液晶表示装置の製造方法により製造された液晶表示装置、即ち、本発明に係る液晶表示装置は、主に、カーナビゲーションシステムの表示ディスプレイ装置等の車載ディスプレイ装置として好適な構成を有しているが、車載ディスプレイ装置に限られることなく、種々の電子装置に搭載することが可能である。本発明に係る液晶表示装置は、例えば、携帯型電話装置、ディジタルカメラ、個人用情報端末装置（ＰＤＡ）、ノート型コンピュータ、デスクトップコンピュータ、テレビジョン受像器、ポータブルＤＶＤプレーヤ、ポータブル・ブルーレイディスク・プレーヤのいずれかのような電子装置に適用され得るものである。
【図面の簡単な説明】
【０１４１】
【図１】本発明の第一の実施の形態に係る液晶表示装置に備えられた第一の画素グループに属する第一の画素及び第二の画素グループに属する第二の画素の構成を示す平面図である。
【図２】本発明の第一の実施の形態に係る液晶表示装置における第一の画素グループに属する第一の画素及び第二の画素グループに属する第二の画素の視野角特性を示すグラフである。
【図３】本発明の第一の実施の形態に係る液晶表示装置における第一の画素グループに属する第一の画素及び第二の画素グループに属する第二の画素の視野角特性を模式的に表した説明図である。
【図４】本発明の第二の実施の形態に係る液晶表示装置に備えられた第一の画素グループに属する第一の画素及び第二の画素グループに属する第二の画素の構成を示す平面図である。
【図５】本発明の第二の実施の形態に係る液晶表示装置における第一の画素グループに属する第一の画素及び第二の画素グループに属する第二の画素の視野角特性を示すグラフである。
【図６】本発明の第一及び第二の実施の形態に係る液晶表示装置及びその製造方法における第一の画素グループに属する第一の画素及び第二の画素グループに属する第二の画素の突起部材又は開口部の種々の形成パターンを例示した平面図である。
【図７】本発明の第一及び第二の実施の形態に係る液晶表示装置における第一及び第二の画素の第一の配列パターンを示す平面図である。
【図８】本発明の第一及び第二の実施の形態に係る液晶表示装置における第一及び第二の画素の第二乃至第四の配列パターンを示す平面図である。
【図９】従来の液晶表示装置の視野角特性を示すグラフである。
【図１０】従来の液晶表示装置の視野角特性を模式的に表した説明図である。
【図１１】従来のデュアルヴュー液晶表示装置における第一の画素グループに属する画素（図１１（ａ））及び第二の画素グループに属する画素（図１１（ｂ））の第一の概略構成例を示す平面図である。
【図１２】従来のデュアルヴュー液晶表示装置における第一の画素グループに属する画素（図１２（ａ））及び第二の画素グループに属する画素（図１２（ｂ））の第二の概略構成例を示す平面図である。
【図１３】従来のデュアルヴュー液晶表示装置における第一及び第二の画素グループに属する画素の第二の概略構成例の第一の断面構造（図１３（１））及び第二の断面構造（図１３（２））を示す断面図である。
【図１４】従来のデュアルヴュー液晶表示装置における第一の画素グループに属する画素及び第二の画素グループに属する画素の視野角特性を示すグラフである。
【図１５】従来のデュアルヴュー液晶表示装置における第一の画素グループに属する画素及び第二の画素グループに属する画素の視野角特性を模式的に表した説明図である。
【符号の説明】
【０１４２】
１  本発明の第一の実施の形態に係る液晶表示装置
２  従来の液晶表示装置
３  従来のデュアルヴュー液晶表示装置
１１，２１  第一の画素グループに属する第一の画素
１２，２２  第二の画素グループに属する第二の画素
７１，７２  ラビング処理が施された配向膜を備える第一、第二の画素
８１  第一の画素グループに属する第一の画素
８２  第二の画素グループに属する第二の画素
１０１，１０２，２０１，２０２  突起部材又は開口部
３０１，３０２  突起部材又は開口部
３０３ａ  突起部材
３０３ｂ  開口部
４０１，４０２  透明基板
４１１  画素電極
４１２  コモン電極
５０１，５０２，５０３，５０４，５０５  上下左右対称な画素の構成例
５１１，５２２，５２１，５２２  上下対称かつ左右非対称な画素の構成例
５３１，５３２，５４１，５４２  上下非対称かつ左右対称な画素の構成例
Ｒ１，Ｒ２  第一、第二の赤色副画素
Ｇ１，Ｇ２  第一、第二の緑色副画素
Ｂ１，Ｂ２  第一、第二の青色副画素
Ｒ１１，Ｒ１２，Ｒ２１，Ｒ２２  第一、第二、第三、第四の赤色画素
Ｇ１１，Ｇ１２，Ｇ２１，Ｇ２２  第一、第二、第三、第四の緑色画素
Ｂ１１，Ｂ１２，Ｂ２１，Ｂ２２  第一、第二、第三、第四の青色画素
【図１】
2010085427.tif 000003
【図２】
2010085427.tif 000004
【図３】
2010085427.tif 000005
【図４】
2010085427.tif 000006
【図５】
2010085427.tif 000007
【図６】
2010085427.tif 000008
【図７】
2010085427.tif 000009
【図８】
2010085427.tif 000010
【図９】
2010085427.tif 000011
【図１０】
2010085427.tif 000012
【図１１】
2010085427.tif 000013
【図１２】
2010085427.tif 000014
【図１３】
2010085427.tif 000015
【図１４】
2010085427.tif 000016
【図１５】
2010085427.tif 000017